(57)【要約】      （修正有）【課題】枕は就寝中に頭から首にかけて緊張をとり、血行を良くし、溜まった疲労やストレス、そして肩のこりなどを取り除いたり軽減する役割をもっている。緊張をほぼ完全に取り除いて就寝でき、顎関節症を治すのに適した枕を提供する。【解決手段】頭と首を支えるにあたって、頭部は頭蓋骨の側頭部側の２ヶ所２，４（骨格としては頭頂骨や側頭骨の２点）と後頭骨をＶ字型で支え、該２ヶ所２，４と頚椎を支える１ヶ所６で作る三角形で安定的に支える構造をもち、支える高さを調整可能にして、顎に力が入らないと共に、使用者の頭、首、身体のゆがみが補正してゆける頭と首を支える枕を作った。【選択図】図１
2006068520.tif 000002
【特許請求の範囲】
【請求項１】
頭部及び首（頚椎部）が所定の位置に安定的に収められる枕を用い、該枕を使って就寝することにより、顔のゆがみや身体・姿勢のゆがみを矯正するようにした矯正法
【請求項２】
前記頭部の頭蓋骨の側頭部の２ヶ所と後頭骨の１ヶ所の合計３ヶ所を、Ｖ字型で支えかつ該頭部と該頚椎を該２ヶ所を結ぶ線を底辺とし、該頚椎を支える１ヶ所を頂点とする略三角形の形で支えるように構成した枕を使ってなる請求項１に示した矯正法
【請求項３】
頭部の頭蓋骨の側頭部２ヶ所と頚椎部の１ヶ所の合計３ヶ所を該２ヶ所を結ぶ線を底辺とし、該１ヶ所を頂点とする略逆三角形の形で支える支持部を備え、頭部及び頚椎部とを安定的に支えるように構成したことを特徴とする枕
【請求項４】
前記頭部の前記側頭部２ヶ所を支える構成部（セクション）Ｉと構成部（セクション）ＩＩ、前記後頭部を支える構成部（セクション）ＩＩＩ、そして前記頚椎部を支える構成部（セクション）ＩＶからなることを特徴とする請求項３に示された枕
【請求項５】
前記構成部Ｉと前記構成部ＩＩの前記側頭部を支える２ヶ所と、前記構成部ＩＩＩの前記後頭部を支え１箇所とは略Ｖ字型を構成し、前記頭部を、該略Ｖ字型にはさむようにしたことを特徴とする請求項４に示した枕
【請求項６】
前記構成部は互いに独立した構成をもち、たがいの感覚や高さの調整が可能なようにした事を特徴とする請求項４に示した枕
【請求項７】
前記構成部Ｉと前記構成部ＩＩとは扇形に開閉して互いの間隔の調整が可能であり、前記頭部の置く高さ位置を該調整で行う事を可能とした事を特徴とする請求項６に示した枕
【請求項８】
前記構成部は、袋状に作り、該袋の中にそば殻やお茶の実などの枕素材を詰め、該枕素材が該構成部を一定の規制の下に自由に行き来できる構成としたことを特徴とする請求項４に示した枕
【請求項９】
前記枕素材を前記袋に詰め込むに当たり、小袋に入れた上で前記構成部各所に配置したことを特徴とする請求項８に示した枕
【請求項１０】
前記袋は、底面を構成する伸縮性に乏しい綿素材などの布地と、上面を構成する伸縮性に富むストレッチ素材の布地とを縫い合わせる等組合せて作り、前記支持部が前記素材の詰め込み量に略比例し、前記上面部にふくらみを持たせるようにしたことを特徴とする請求項３に示した枕
【請求項１１】
前記安定的に支えられるようにするために、前記支持部の位置や高さをフレキシブルに調整できるように構成したことを特徴とする請求項３に示した枕
【請求項１２】
前記４つの構成部で作った枕をストレッチ素材で作った中袋に入れ、前記フレキシブルな調整を可能とした請求項９に示したことを特徴とする枕
【請求項１３】
頭部及び頚椎部が所定の位置に安定的に収められた時、気道が通り、顎関節の緊張がゆるむように構成したことを特徴とする請求項４に示した枕
【発明の詳細な説明】
【技術分野】
【０００１】    本発明は枕と枕を使用した顔や身体のゆがみを矯正する技術に関する。
【背景技術】
【０００２】  人間の生活にとって極めて大切であるが毎日使用するため逆に意識されず、改良の手が加えられなかった枕も、ここ１０年間の間に様々な角度から工夫がなされて来ている。【０００３】  ソバ殻やモミ殻は有機物であるため、汗や湿気を吸収し、ダニやカビが発生するとし、ポリエチレン素材で作った小さなパイプや、マルコビーンズを用い、通気性をよくし、丸洗いできる枕などが作られている。また、防虫を考えソバ殻にヒノキのチップを混入するなどの試みも行われている。【０００４】  こうした硬めの素材では、枕がかたいとし、ふんわりとやわらかいポリエステルのわたを使用した枕や、羽毛、麻綿やキャメル（らくだの毛）を使用した吸湿、放湿にすぐれた、やはり弾力性に優れた枕も作られている。また頭にフィットするようにと低反発の素材も利用されて来た。【０００５】  人間は、個人個人大変個体差がある。汗をかきやすい体質、そうでない体質。頭がのぼせやすい体質、足がむくむ体質。個体差があるだけでなく、その時の仕事や家族関係、社会関係の違い、そして住宅の構造、周辺環境、様々な要因が重なり合って個人個人、その人間がおかれている状況によって、安眠の得られる理想的な枕としてどのようなものが適切かが異なってくる。従ってこうした枕の素材の選択によって、とりあえず安眠を得ることが出来たという人も多くいたに違いない。しかし、一般的に言うとやわらかすぎる枕は安定性に欠け、結果として眠りが浅くなり、皮膚との接触面積が増えるため放熱性がよくない。また、硬い枕は、加重が偏り、そこから刺激信号で目覚め易くなるという問題を抱えていた。【０００６】  その後、合わない枕によって健康障害（頭痛、肩こり、いびきなど）が起こっていることが分かり、枕の研究は枕の素材の面でなく形状やその求める形状が得られる素材の研究へと進化を遂る。【０００７】  たとえば高さについての研究がなされて来た。図７は枕の高さが使用者にどのような影響を与えるかを考察したものである。図７の（ａ）のように、高すぎる枕は顎が引けた状態になり、気道を塞ぐので、肩や首の筋肉への負担がかかり、頭痛や肩こり、いびきの原因となった。【０００８】  図７（ｂ）のように枕が低すぎると、心臓の位置よりも頭の位置が低くなることで、血行が悪くなり、朝、起きたとき顔にむくみが生じたりする。また、頚椎を支えられないので、負担がかかり、寝違えや肩こりを起こすことになる。【０００９】  図７（ｃ）のように、顎が上がる枕では口が開いた状態となり、口呼吸になり、いびきの原因となる。また、頚椎を圧迫し、頭部への血液循環が悪くなるため、眠りが浅くなる。【００１０】  図７（ｄ）は枕をしない状態であるが、これは図７（ｂ）の低い枕の時と同じ問題を生じる。こうした検討を経て、適当な高さの枕を用意することの重要性が認識されることになった。【００１１】  こうした枕の高さに対する研究の結果、人間は自然体（頚椎に負担が無い姿勢）で立った時の姿勢と同じ角度で、頭を傾けて眠ることができる枕の高さが理想的とされている。これは個々人で個体差があるが、「頚椎弧の深さ」（これは１人１人によって異なる。平均値は男性で４ｃｍ、女性で３ｃｍで男性は３ｃｍ〜５ｃｍが９０％、女性は２．���ｃｍ〜４ｃｍが９０％である。）を尺度とし、この深さを枕が頚椎を支える部分の高さとして設け、なおかつ、枕に頭を乗せた時、頭部の水平面と顔面のなす仰角が５度になるように頭を支える枕がこの理想に沿う枕として考えられてきた。【００１２】  図８はこうした考え方の下に作られた枕の１つで、現在、Ａ社が市販中のものである。この枕は５つの区分（８０〜８８）に分けられ、基本的に独立している。（８４）は頚椎、（８６）は後頭骨、（８８）は頭頂骨をそれぞれ置く区分である。中央部（８６）は低めに作り、さらに両サイド（８０，８２）も少し高くし、横向きになっても楽に寝ることが出来る工夫をしている。【００１３】  このＡ社は、１人１人の頚椎弧の高さが異なっていることをふまえ、区分（８４）と区分（８８）の区分の高さを基本ユニットとしていくつか揃え、その人に合った高さの枕を提供するような仕組みでまくらをはんばいしている。【００１４】  これまで、良い枕の条件として、いくつかの条件が提示されている。例えば、
▲１▼眠る時ぴったりと気持ちよくフィットする
▲２▼寝返りし易く通気性が良い
▲３▼洗濯し易く清潔を保てる
などである。【００１５】  人間の睡眠は、寝入ってから９０分間が最も深い睡眠を得られるという医学報告もあり、その意味で、▲１▼の「眠る時ぴったりと気持ちよくフィットする」ということは、大切な条件となる。この条件は枕の素材のかたさ、やわらかさなどの選択と高さの設定が大きな要件となる。【００１６】  寝入った後、出来るだけ熟睡を保つためには、▲２▼の「寝返りし易く通気性が良い」という条件が大切となる。人によっては１晩に数十回も寝返りを打つため、この条件が必要だが、先のＡ社の場合、図８で頚椎が置かれる区分（８４）、後頭部の置かれる区分（８６）、そして頭頂骨の置かれる区分（８８）を横長にし、両サイドの区分（８０，８２）を少し高くし、寝返りの時に顔を横向きにしても良いようにしている。【００１７】  枕の素材によってアトピー性皮膚炎などのアレルギーになり、素材そのものが合わない場合を除き、▲３▼の「洗濯し易く清潔を保てる」という点は、カバーをかけたり普段から陰干しや虫干しすることによって保たれることになる。【００１８】
【特許文献１】    実願平５−６０１６７（実開平７−１３２６４）
【特許文献２】    実願平５−７６８２９（実開平７−３９６３７）
【特許文献３】    特願平７−７８０６８（特開平８−２２８９０１）
【特許文献４】    特願平７−３２６０６７（特開平９−１６４０４９）
【特許文献５】    特願平１０−５５５８６（特開平１１−２４４１１３）
【特許文献６】    特願平１１−１０５６８３（特開２０００−２５３９７７）
【特許文献７】    特願２０００−２９５８６０（特開２０００−１０２０３８）
【特許文献８】    特願２０００−３６９３０６（特開２００２−１１９４０３）
【発明の開示】
【発明が解決しようとする課題】
【００１９】  枕が原因になって健康障害（頭痛、肩こり、いびきなど）が起こること、それは合わない枕によって神経や血管が圧迫され、首や肩、背中の筋肉が緊張し、その緊張が同一姿勢を長く続けることによって引き起こされることが医療機関からも指摘されている。【００２０】  こうした事例と枕についての背景技術とを整理していくと、次のようになる。
▲１▼個々の人は、仕事や生活上の理由から疲れやストレスが出て、それが緊張やコリをもたらし、肩こりや姿勢のゆがみをもたらす。また、精神的なストレスが溜まってしまう。
▲２▼ところが、これまでの寸胴型の枕ではこうしたコリやゆがみ、そして精神的なストレスが就寝によって解かれるのではなく、却って増加することもあった。
▲３▼そこで、枕の素材を変えたり、高さを調整したり、寝返りをし易い枕が開発され、就寝によって緊張を取り、コリやゆがみが正されるように努力がされてきた。【００２１】  ところが、次のような事例が報告されていた。頭部に症状をもつラグビー選手に対し、▲１▼個々の体格にあわせ、▲２▼寝返りを阻害しない「整形外科枕」を使って、その症状の改善を計った報告が第７７回日本整形外科学会に発表され、満足な改善率があったことが示された。【００２２】  つまり、枕をその人間に合った枕にすることによって、コリやゆがみをとるだけでなく、コリやゆがみを原因として、頚部に症状を持つ人の症状まで改善できるというのである。この報告は、このように考えると大変意味のある貴重な報告である。【００２３】  例えば、顔を中心とした疾患で言うと顎関節症がある。顎関節症というのは、次のような症状が１つでもある時、かなり進行していると言われる。
（ｈｔｔｐ：／／ｗｗｗ．ｂｉｏｔｒｅａｔ．ｎｅｔ／ｂｉｏ−ａｓｓｏ／ｉｎｄｅｘ．ｈｔｍｌ＜２００４．７．１４＞）
▲１▼口がまっすぐスムーズに開かない
▲２▼口が大きく開かない
▲３▼口を開くと音がする（クリッ、ポキ、ギリ、ジャリジャリ）
▲４▼顎の関節や筋肉に痛みがある
▲５▼顎がだるい【００２４】  この顎関節症は、当初は以下の症状を示す。
▲１▼口が開かなくなる
▲２▼顎が痛くなる
▲３▼首筋がこる
▲４▼眼が疲れる
▲５▼集中力が低下する
▲６▼顎が時々はずれることがある
つまり、枕が使用者に合わない時にもたらされる諸症状と重なり合っている。【００２５】  この症状が進み、末期的症状になると
▲１▼口が５ｍｍ以上開かなくなる。（開口障害）
▲２▼情緒不安定となりパニック症・鬱病となる
▲３▼免疫力が低下し、アトピー、喘息、膠原病などの病気になる
▲４▼頚椎、脊髄の変形から腰病が悪化し、寝込んだままとなる
▲５▼自律神経失調症が進み、精神的な異常（ノイローゼ）になる
▲６▼脳への血流低下により痴呆症となる
といった重度の病状を示すことも指摘されている。顔のゆがみが全身の骨格のゆがみとなり、様々な症状をもたらすのである。【００２６】  この顎関節症の外形的な症状としては、顔のゆがみ（顎変形症）が生じることが指摘されている。顎のズレは、奥歯のわずかな高さの違いが原因となって傾きはじめ、左右の歯の高さがずれていて、上下の歯の間隔が異なっている人は、浅い奥歯の方が噛みやすいため浅い方で噛む癖がつき、その結果、両方の目を結ぶ線と口の線が平衡ではなくなり、鼻の線もゆがんでしまう。【００２７】  枕が合わないことによって、頭部や頚部を緊張させ、それが引き金になって顔にゆがみが出ることが知られている。このゆがみが奥歯の高さのズレをもたらしている。とすると顎関節症は枕が合わないことが原因の一つとなっているともいえる。【００２８】  そこで、本願の目的は、この顎関節症の症状として指摘されている顔のゆがみや姿勢のゆがみを枕によって矯正する方法を提供すること、さらに、その為の枕を提供することが目的である。その枕を使うことによって顎関節症の諸症状（▲１▼口が開かなくなる  ▲２▼顎が痛くなる  ▲３▼首筋がこる  ▲４▼眼が疲れる  ▲５▼集中力が低下する  ▲６▼顎が時々はずれることがある等）を取り除くことが出来たり、軽減することが出来れば、疲れやストレスを取り除き、肩こりや姿勢のゆがみなども軽減し、安眠を保障する枕となるからである。
【課題を解決するための手段】
【００２９】  顎関節症は、咬み込みが深くなって症状が現れてくるため、この原因を除去する治療法として、スプリントやマウスピースを口にセットし、深く咬み込めなくする方法が知られている。また、そうした点に加えて、ずれた関節円板を元に戻すために下顎がスムーズに動けるようにしたバイオプレートを口にセットする方法なども知られている。【００３０】  この他、仰向けに寝て、割り箸を口に深くくわえ、それを毎日１５分近く、数週間続けると顔のゆがみや身体・姿勢のゆがみがとれてくる実例が報告されている。【００３１】  通常ある症状をそれ以上悪化させないためには、症状をもたらす原因をまず取り除くということが原則である。しかし、この割り箸の事例を見ると緊張を取ることによって、症状の悪化を止めるだけでなく、人間自らが持つ自己治癒力が引き出され、症状自体も治してしまっている。【００３２】  また、この事例から分かることは、顎関節を緊張のない状態にすると顎関節症の直接的な症状の顔のゆがみがとれるだけでなく、それに伴い姿勢もよくなり、肩のこりなども取れるということになる。【００３３】  人間は昼間の仕事や生活の中で蓄積した疲れや精神的ストレスを寝ることによって取り除いたり、軽減する。枕はそのことを補助する大切な道具である。枕がないときには腕を支えにして眠ったりする。枕がそうした役割に合致していればよいが、合っていないときには肩こりや姿勢のゆがみ、精神的ストレスが残り、つまり咀嚼筋のこりとして現れることになる。【００３４】  筋肉は使えばゆるみ、使っていなければ縮む。こったときも縮む。そうした結果、顔にゆがみを生じることになる。こうしたゆがみは、頚椎のゆがみにつながり、顎は首の付け根の頚椎を中心に公転運動している（グゼイ理論）ため、その顎をスムーズに動かすための関節円板がずれ、顎関節症を起こすことになる。【００３５】  一方で、この頚椎のゆがみは、例えば首が傾いたり、身体のバランスを崩すことになり、姿勢が悪くなり、腰痛、肩こりなどの原因となる。この結果、血行が悪くなり全身の筋肉が緊張し、さらに身体のバランスを崩すことにつながって行く。眠っても安眠が得られず疲れがたまっていく悪循環となる。【００３６】  ところが、割り箸の事例から推察できることは、こうした悪循環が顎関節を緊張の取れた状態にすることによって断ち切ることが出来るということである。人間は就寝中に疲れやストレスをとるばかりでなく、顔や身体のゆがみ、骨のズレなども修正していく事が多くの医師によって指摘されている。緊張を解けば、血行が回復し、顔のゆがみや姿勢のゆがみが正されていくのである。そこで、本願では、バイオプレートや割り箸に代わってその枕で就寝することによって顎関節の緊張が取れるように頭部と首を支える枕を考えた。【００３７】  そして、その上に基づいて、これまでの枕でそれが可能であるかどうかを考えた。たとえば、図８に示したＡ社の枕は、就寝時の姿勢で考えると区分（８４）で頚椎を支え、低めに作った区分（８６）で後頭骨のでっぱりを逃がし、区分（８８）で頭頂骨を支え、顔面の仰角が約５度となる。こうした姿勢で、顎関節もゆるみ、確かに安眠が得られ、疲労やストレスそして顔や身体のゆがみも正されて行く。【００３８】  ところが、この枕は区分（８４）、区分（８６）、区分（８８）が就寝中の寝返りを考え、それがスムーズに行くように横長に作っている。これまでの寸胴型のソバ枕と、横長にするという点では同じ発想である。ところが、こうした枕では、頭部と首を置いた時の頭頂骨、後頭骨、そして頚椎の重さがかかる点を図９に示すとそれぞれ（９０）、（９２）、（９４）というように一直線になっている。後頭骨の部分の（９２）は逃げているため、実際は（９２）（９４）という型の直線である。こうした形で頭と首が枕に置かれた時、いつでも頭と首は左右に振れ動く状態にあるが、自由に動かせるため、逆に頚椎を安定させることはできない。従って、振れ動かないように安定を求める力が、就寝中も働き、その分、緊張が働いていることになり、緊張は完全にとれない。これを安定化させようとすると、頭を置くと頭の重さでそのおいた部分が沈み、頭を包み込むような枕が必要になるが、その場合頭の熱がこもってしまう事になり、なかなか寝付けないことになったり、安眠が妨げられる。つまりＡ社の枕を使用したとき、就寝時は仰角約５度が保障されるが、就寝中寝返りを打ったときにはこの状態が必ずしも保障されないと言う問題があった。【００３９】  そこで、本願では、頭部と首を枕に置いた時に、Ａ社の枕と同じように顔面仰角が約５度となり、なおかつ就寝中もその状態が保つ事が出来るように頭部の支え方と、頭部と首との支え方を工夫した。頭や首を置いた位置自体が頭の左右の振れに対しても安定位置を取れ、なおかつ寝返りが可能なような枕を考えて提供することで本願の課題を解決した。【００４０】  より具体的には頭部は頭蓋骨の側頭部（骨格的にいうと頭頂骨ないし側頭骨がこの側頭部に当る）の２ヶ所で挟むように支え、後頭骨を支える部分とで、Ｖ字型に支えた。またその２ヶ所と頚椎を支える一ヶ所とでできる逆三角形で安定的に支えるように枕を作った。形のイメージで言うと、赤ん坊を横向きに抱き上げる時、頭を片方の腕まげて作ったＶ字型にのせて、もう片方の手でお尻などを支えるが、そうした支え方である。このＶ字型の支え方は、もし赤ん坊が突然頭を動かす事があっても動かす事の出来る自由度を持った支え方である。またＶ字ではさんだ２ヶ所ともう一方の手で出来る三角形の支え方は、安定した支え方である。赤ん坊は自ら力を入れ、一定の姿勢を保つということはしない。言うなれば、完全な脱力状態、緊張のない状態である。そうしたものを安定的に支える三角形の支え方である。通常状態で頭と首を置いた時、安定位置を持ちながら、なおかつ寝返りを可能にするのは一見、不可能なように思えるが、首を軸にして頭部を２ヶ所で支えるという方法で小さな寝返りはこの安定位置のまま行えるのである。【００４１】  本願では枕は、頭部をはさみこんで、支える２つの区分Ａ、後頭骨を支える区分Ｂ、首即ち頚椎を支える区分Ｃに区分けし独立性を保つように枕を作った。区分Ａの２ヶ所と区分ＢとでＶ字型を作り、頭をＶ字で挟み込むように支える構造にした。また区分Ａの２ヶ所と区分Ｃとの３ヶ所で逆三角形を作り、頭や首を安定しておくことが出来る枕とした。頭部を支える左右の区分Ａは、略扇形に開閉して調整し、頭の���きさが変化しても支えることが出来、なおかつ安定感がもてるようにもした。このように基本構造を作り、使用者の個体差に合わせ、調整が出来、快い睡眠が得ることが可能な枕とした。【００４２】  また、頭部を２ヶ所で支えるに際し、頭にぴったりとフィットして、支えられるように表地をストレッチ素材など伸縮性のある素材にし、裏面の地を通常の布地にした。こうすることで枕素材を詰めた時、表地の方が膨らみ、裏面は平坦状を保つようにした。枕を置いた時、枕自体を安定的に置く事ができ尚且つその上に置いた頭とフィットするように工夫した。【００４３】  また、１つの方法として、全体として枕は、一つの袋で作り、基本的には頭と首をのせる３つないし４つの部分に区分しているが、枕素材が互いに行き来できるようにし、使用者にあった高さ調整が簡単に出来るようにした。また別の方法として、その区分ごとに枕素材が行き来できないようにしながら、それを中袋に入れ、各区分が中袋の中で、多少移動する自由度をもたせ、使用者の頭にフィットするようにした。
【発明の効果】
【００４４】  本発明による枕は、頭部を頭の頭蓋骨の側頭部を挟み込むようにして、支える構造になっているため、頭部の高さ位置の調整が実に簡単に出来る。挟み込んで、側頭部を支える部分を扇形に開いたり、閉じたりすることによって、高さの調整が出来る。また頚椎部の高さも調整できるようになっているため、枕に頭をおいたときの頭部の水平面と顔面との仰角を理想の形にこれを調整できるため、口が渇くことなく、また顎に力が入ったりすることなく、安眠を保障できる。【００４５】  しかも、頭部は頭蓋骨の側頭部（頭頂骨や側頭骨）の２ヶ所と後頭骨を支える一ヶ所で出来るＶ字型のＶにはさむように頭をおき、支持する方法である。また頭部と首とは、頭蓋骨の側頭部の２ヶ所を結ぶ線を底辺と考え、頚椎を支える部分を頂点と考えた時そこに出来る三角形によって支持する構造である。その支え自体が極めて安定感があり、なおかつ、首を左右に振ることの出来る余裕度もある。従って、そのＶ字の２ヶ所で支える頭は自由に動かせるために、就寝中の寝返りに対して、首を左右に振るようにして、無理のない形で、睡眠を続ける事が可能である。またその寝返った状態が、三角形によって支持される事によって、安定的に維持されるのである。その結果、この枕を使用することによって、血行がよくなり、疲れやストレスが取れるとともに、これまでの疲れやストレスの結果、症状として出ていた顔のゆがみや身体のゆがみを治し、姿勢を正すことも可能となる。【００４６】  この枕を就寝用の枕として利用すると共に、毎日、一定時間使用し、顎関節症の治療用として用い、この症状を治すことも可能となった。
【発明を実施するための最良の形態】
【００４７】  以下、図面に基づき本発明を説明する。図１は本発明による枕の正面外観図である。図２は同じ枕を裏面から見た裏面外観図である。また、図３はこの枕に仰向けになって頭と首を置いた時の外観図。図４は図３を図の上方から見た時の図。図５は同じ図３を中心線（５０）で切った断面図である。【００４８】  図１で２と４は頭部の頭蓋骨の側頭部を置くセクション、６は頚椎を置くセクションである。８は後頭骨を置くセクションである。セクション（２）、セクション（４）、セクション（６）、セクション（８）にあたる部分は、一つの伸縮性を持つストレッチ布（２０）で作られている。図２の裏面のセクション（３）、セクション（５）、セクション（７）はこのセクション（２）、セクション（４）、セクション（６）の裏側に来て、これも一つの布で作られているが、この裏側の布（２２）は木綿など伸縮性を持たない布で作っている。【００４９】  ストレッチ布（２０）と布（２２）は裏面で縫い合わせ（縫合面は図示せず）一つの袋にして、そば殻や茶殻など（場合によってはその他の素材でも良い）を詰めている。表面はストレッチ布（２０）で作っているため、詰めれば詰めるほど表面が盛り上がるが、裏面は平面状態を保っているため座りの良いかつ、自然なクッションの枕が出来る。【００５０】  これまでのように同一の布の素材で袋を作りそれに詰めるものを詰めると裏面も表面も同じ形となり、表面を盛り上げてクッション豊かにしようと考えると、裏面も同じように盛り上がり、枕としての安定性を欠くことになったが、表面と裏面に使う布の性質を変えることによって座りの良い、かつクッションの良い枕が出来ている。【００５１】  セクション（２）、セクション（４）、セクション（６）、セクション（８）は一つの袋で作っているが、セクション（６）、セクション（８）は両側を糸で荒く縫い、セクション（２）、セクション（４）、セクション（６）、セクション（８）ごとの独立性を保っている。そこでセクション（６）は頚椎を置く部分として高さはおよそ３〜４ｃｍの高さにしている。これに対してセクション（２）とセクション（４）はおよそ６〜１０ｃｍの高さにし、図１の上方部と中心部がより高くなるようにセクション（２）では糸（１０，１１）、セクション（４）では糸（１２，１３）でいわゆるマチ縫いし、それぞれセクション（３）、セクション（５）に糸を貫通させて止めている。このマチ縫いした周辺部は、高さが抑えられる様にしている。この上辺部をふくらみをもたせるようにしたのは、ここに頭蓋骨（頭頂骨や側頭骨）の側面部を置くことになり、ここで頭を支えるからである。【００５２】  セクション（８）は頚椎のすぐ上にあたる後頭骨を支える部分である。頭部はセクション（２）とセクション（４）によって頭蓋骨の側面部を２点で支え、このセクション（８）とで出来るＶ字型で支える。（１４）、（１６）は伸縮バンドで両端をセクション（３）、セクション（５）に縫合せ、表面で言うとセクション（２）とセクション（４）を裏面で言うとセクション（３）とセクション（５）とを扇形に広げることができるようにし、広げた状態で頭をのせたときに安定するようにしている。【００５３】  この枕に実際に���向けになって頭と首をのせた時の外観図が図３、図４であるが、頚椎（３０）はセクション（６）の上にのせる形となり、顔面の裏側にあたる頭頂骨（３１）の側頭部側の２点（３２，３４）はそれぞれセクション（２）とセクション（４）の上にのせる形になっている。後頭骨はセクション（８）に乗せる形になっている。頚椎（３０）の中心点を点（３６）とすると、頭頂骨（３１）を支えている２点（３２，３４）とは図３で見ても三角形をなし、また、これを上方から見た断面状外観図（図４）でも三角形をなしている。【００５４】  図４で見たとき、頭部と枕との接触点である、２点（３２，３４）と、後頭骨を支える点（２４）で、略Ｖ字型ができている。このＶ字に頭を置く形になっている。Ｖ字型の台に頭の大きさと同じ半径を持つ球を置いた時、球とこのＶ字の台との接点は２点となるため、接点にかかる負荷が少なく、自由に回転できる。これと同じように、この枕に頭を乗せたときに頭の重さが主にかかる支持接点は２点（３２，３４）となり、頚椎を支える点（３６）を軸とした、頭を左右に振るような頭の自由な動きが可能となる。従って、就寝中に寝返りを打っても、頚椎を軸にして、顔を左右に振る動きを取る事で、引き続き枕に頭を安定的に乗せる事が可能である。【００５５】  この枕に頭と首を置いた時、その高さ位置さえ調節しておけば極めて安定した形で頭と首を枕上に置くことが出来る。しかも、断面的にも三角形で支えているため、顔を左右に振ることはその安定した状態の範囲で可能である。【００５６】  また、枕の上に置いた頭水平面と顔面がなす仰角は５度が理想であるが、この調整は基本的にはセクション（２）とセクション（４）とを扇形に広げたり、狭めたりすることと、セクション（６）の高さは枕の素材の出し入れやセクション（２）やセクション（４）との相互調整によって調整することが可能である。そして、一度調整し自分にあった高さを確認しておけば毎回調整することはない。【００５７】  図５で見るように頭部の頭蓋骨（頭頂骨ないし側頭骨部）が枕のセクション（２）の支持部（３２）で支持され、頭の高さ位置はこの支持部の高さ（３２）で決まる。支持部（３２）は頭と枕との接点であり、人の頭の形状や、枕のセクション（２）とセクション（４）で作る角度によって、同じ枕を使っても、その都度高さが異なる。頭部のあごを引いた角度は、頚椎を支えるセクション（６）とこの支持部（３２）の高さで決まるが、セクション（６）が高いときにはセクション（２）とセクション（４）で作る角度を狭めると支持部（３２）が高くなり、セクション（６）の高さと釣り合いの取れたものになる。反対に、セクション（６）の高さが低いときにはセクション（２）とセクション（４）とで作る角度を広げ、支持部（３２）の高さを低くなるようにすればよい。【００５８】  高さの調節は図５で見るようにセクション（６）が少し高い時には、頭が上がった形となり、下顎に力が入り、逆に頭頂骨（３１）の側頭部を支持部（３２）が高くなりすぎると頭が下がった形となり、上顎に力が入ることになる。頭を支える点と頚椎を支える点を調整し、上顎にも下顎にも力が入らない点を見つけて調整すればそこが緊張を解く点で、その高さで本願枕のように頭と首とを置けば血行がよくなり、コリがとれて顔や身体のゆがみも正される事になる。【００５９】  図６は頭の大きい人（６０）と小さい人（６２）に対し、セクション（２）とセクション（４）とを扇形に開いたり、閉じる方向に動かした時に図４の方向から見た時の様子を模式的に描いた図で、どのような頭の大きさの人でもセクション（２）とセクション（４）の開閉操作だけで収まりがつくことを示したものである。この模式図からも分かるように頭部はＶ字型で支えているため、顔面を左右に振ることはほとんど抵抗なく行え、小さな寝返りが極めてやりやすくなっている。【００６０】  図１０も、本発明による枕の一実施例の外観図であり、図１の枕と基本的には同じつくり方をして、（１０２，１０４）の突起部分をつけた点が他と異なる。これは、枕を使用して仰向けに寝た時に、両手を挙げた姿勢で寝た方が落ち着くという人には、特によい枕である。挙げた手で、この突起部をつかみ寝ると姿勢が安定する。こうした姿勢をとることに抵抗がない人の場合、緊張をとる安定した姿勢を持続できるので、これを使用して顎関節症などの治療効果もあげることが出来る。また、手を上げて寝る特定の人だけではなく、枕の位置設定に利用できる。枕に頭を置くにあたって、枕が頭と身体の中心線に沿ってきちっと置かれ、逆に枕の中心線に沿って頭と身体を置くようにするために、この突起部（１０２，１０４）をつかんでいれば容易に出来るし、胸を開いて寝ることが出来る。この枕を治療用に使うときなどは、この突起部（１０２，１０４）は役に立つ。【００６１】  また、頚椎を支える部分（１０６）の形状を図面とは異って台形にすることによって、扇形に広げ、頭を支えるに際し、図２で使用した伸縮バンド（１４，１６）を用いなくともよいようにしたものである。【００６２】  なお、就寝中の寝返りについては、本願の枕は図１、図２に見るように表面と裏面とを糸（１０、１１、１２、１３）で結んでいるため、この周辺部はセクション（２）、セクション（４）の中でも上辺部に対して低くなっている。そのため、大きく寝返りをうって横顔面をこの上にのせることも可能であり、通常の枕同様寝返りは可能である。【００６３】  図１１は、本発明による枕の他の実施例の本体外観図である。この枕本体は、頭部の頭蓋骨の側頭部を支えるセクション（１２０，１２２）と、頚椎を支えるセクション（１１８）後頭骨を支えるセクション（１１６）とから構成されている。そしてセクション（１２０，１２２）の端部は使用者が枕に頭を置いた状態で、手でつかめるように構成している。【００６４】  この枕本体は表面は、伸縮性に富むストレッチ素材の布を使用し、裏面は伸縮性に乏しい、綿の布を用い、縫製し、枕素材を入れたときに、図面の上面に向かって膨らむようにしている。そして各セクション（１１６，１１８，１２０，１２２）は独立した区分として縫製している。セクション（１１６）は軽く後頭部を支え、安眠の為にはぶ茶の実を別袋に入れ、封入している。セクション（１１８）は頚椎部がここに当り、支える事になるために余り硬くなく、高さ調整なども容易なようにそば殻を別の袋に入れたものを封入している。セクション（１２０，１２２）はそば殻を直接詰め込み高さ調整がより容易にできるようにしている。また頭蓋骨の側頭部を、中空状態で支える事ができるように、図面上上方盛り上がるように、マチ縫いで４ヶ所（１０８，１１０，１１２，１１４）を止めている。【００６５】  図１２はこの図１１のＡとＢを結ぶＡＢラインとＣとＤを結ぶＣＤラインできった断面図である。図１２（イ）はＡＢラインで切った断面図であり、これで分かるようにセクション（１２０）とセクション（１２２）は頭蓋骨の側頭部を支えるために大きく盛り上がった山の形態になっている。この山と山の頂点部で中空上に側頭部を支えることになる。セクション（１１６）は後頭骨を支えるセクションであり、側頭部を支える２点と、このセクション（１１６）の中心点とで、Ｖ字型を作り、このＶ字型に頭をはさむようにして頭を置く枕である。図１２（ロ）は、このときＣＤラインで切った断面図であり、セクション（１１８）には頚椎が置かれる事になる。【００６６】  図１３は、図１１及び図１２に示した枕本体を、包み込む中袋の上面外観図である。この中袋は、伸縮性に富むストレッチ素材を使い、この布地の大きさは、枕本体よりも少し小さ目（８０％〜８５％）に裁断している。また、本願の枕は、少しふくらみを弱めて腰に当て、枕と共に使用すれば身体のゆがみを正すのに効果があった。【００６７】  図１４は図１１のＣＤラインでみた中袋に包んだ時の断面図である。中袋によって各セクション相互がばらばらにならず、必要とされる高さを維持できるようにしている。【００６８】  このような中袋に包んでいるため、重い頭や頚椎を枕本体の各セクション（１２０，１２２）やセクション（１１８）にのせても型崩れせず、Ｖ字型や三角形の形で、保持できるようにしている。【００６９】  図１５から図１８は、こうして作った本願枕の一つを、いくつかの角度から、撮った写真図である。枕本体図で云うとセクション（１２０，１２２）に当る部分が大きく盛り上がりを見せている事は写真からも分かる。【００７０】  なお、本願図１、図２で示した枕を３０人の人に試験的に使用してもらったところ
「肩が楽になった」・・・１２人
「首筋が楽になった」・・・１４人
「熟睡できるようになった」・・・１０人
「目覚めがよくなった」・・・５人
「疲れがとれるようになった」・・・６人
などの回答を得て（複数回答）、２４人から使用感に満足しているとの回答を得た。【００７１】  また、顔面の目と目の線と口の線が平行でない、見た目でも顔のゆがみがある人１０人にこの枕を試験的に使用してもらい。（１ヶ月）使用後の顔のゆがみを確認したところ８人が目と目の線と口の線が平行となり枕の使用による顔のゆがみの修正効果を確認した。【００７２】  なお、本発明の実施例は、あくまで１実施例であり、本発明は、その実施例に捉われるものではない。
【図面の簡単な説明】
【００７３】
【図１】は本発明による枕の正面外観図である。
【図２】は図１の枕を裏側から見た外観図である。
【図３】は図１の枕に仰向けになって頭と首を置いた時の図である。
【図４】は図３を上方から見た時の断面外観図である。
【図５】は図３の中心線の断面図である。
【図６】は図４をベースとした模式図である。
【図７】は枕の高さによって就寝時どのような問題が出るかを説明する為の図である。
【図８】はＡ社市販の安眠マクラの外観図である。
【図９】は図８の枕を使用したときの頭と首との重心位置を示す図である。
【図１０】は本願発明による枕のその他の外観図である。
【図１１】は本願発明の他の実施例で、本体外観図。
【図１２】は図１１のＡＢラインの断面図とＣＤラインの断面図
【図１３】は図１１の枕本体を包む中袋の外観図
【図１４】は枕本体を中袋に包んだ時の断面図
【図１５】は枕本体を中袋に包んだものの外観図
【図１６】は枕本体を中袋に包んだものの外観図
【図１７】は枕本体を中袋に包んだものの外観図
【図１８】は枕本体を中袋に包んだものの外観図
【符号の説明】
【００７４】２、４・・・頭を置くセクション
３、５・・・頭を置くセクション（裏面）
６・・・頚椎を置くセクション
７・・・頚椎を置くセクション（裏面）
８・・・後頭骨を支えるセクション
１０、１１、１２、１３・・・縫い糸
１４、１６・・・伸縮バンド
２０・・・ストレッチ布
２２・・・伸縮性のない布
３０・・・頚椎
３１・・・頭頂骨の側頭部
３２、３４・・・頭頂骨を支える点
３６・・・頚椎の中心点
６０・・・頭の大きい人
６２・・・頭の小さい人
８０、８２・・・サイド部
８４・・・頚椎支持区分
８６・・・頭頂骨を逃がす区分
８８・・・頭頂骨支持区分
９０、９２、９４・・・荷重点
１０２、１０４・・・突起部
【図１】
2006068520.tif 000003
【図２】
2006068520.tif 000004
【図３】
2006068520.tif 000005
【図４】
2006068520.tif 000006
【図５】
2006068520.tif 000007
【図６】
2006068520.tif 000008
【図７】
2006068520.tif 000009
【図８】
2006068520.tif 000010
【図９】
2006068520.tif 000011
【図１０】
2006068520.tif 000012
【図１１】
2006068520.tif 000013
【図１２】
2006068520.tif 000014
【図１３】
2006068520.tif 000015
【図１４】
2006068520.tif 000016
【図１５】
2006068520.tif 000017
【図１６】
2006068520.tif 000018
【図１７】
2006068520.tif 000019
【図１８】
2006068520.tif 000020